(57)【要約】【課題】本発明は、従来にない作用効果を発揮する画期的な融雪装置を提供することを目的とする。【解決手段】採熱した地熱により融雪を行う融雪装置であって、地中に埋設され内部に地下水Ｗを収容するケーシング１を有し、このケーシング１の上部開口部１ａから該ケーシング１内に抜き出し自在に配され前記地下水Ｗから熱を採取する採熱部２Ａと、地表に設けられる融雪部３に配され採熱部２Ａで採取した熱を放熱する放熱部２Ｂとを具備する長尺の伝熱体２が設けられ、前記融雪部３は地表に移動自在に敷設されるパネル体４であり、このパネル体４には前記放熱部２Ｂを固定する固定部４ａが設けられ、この固定部４ａは前記放熱部２Ｂが取り外し自在となるように構成したものである。【選択図】図１
2008088652.tif 000002
【特許請求の範囲】
【請求項１】
採熱した地熱により融雪を行う融雪装置であって、地中に埋設され内部に地下水を収容するケーシングを有し、このケーシングの上部開口部から該ケーシング内に抜き出し自在に配され前記地下水から熱を採取する採熱部と、地表に設けられる融雪部に配され採熱部で採取した熱を放熱する放熱部とを具備する長尺の伝熱体が設けられ、前記融雪部は地表に移動自在に敷設されるパネル体であり、このパネル体には前記放熱部を固定する固定部が設けられ、この固定部は前記放熱部が取り外し自在となる構成であることを特徴とする融雪装置。
【請求項２】
請求項１記載の融雪装置において、前記固定部は前記パネル体の上面に形成され前記放熱部を嵌合する凹溝であることを特徴とする融雪装置。
【請求項３】
請求項１，２いずれか１項に記載の融雪装置において、前記パネル体には前記ケーシングの上部開口部と前記固定部を連通する連通部が設けられていることを特徴とする融雪装置。
【請求項４】
請求項１〜３いずれか１項に記載の融雪装置において、前記パネル体の上部には排水性舗装体が設けられることを特徴とする融雪装置。
【発明の詳細な説明】
【技術分野】
【０００１】
本発明は、採熱した地熱により融雪を行う融雪装置に関するものである。
【背景技術】
【０００２】
従来、融雪装置は地下水を汲み上げて散水する散水方式が一般的であるが、この方式は地下水の枯渇による地盤沈下が懸念されるため、地下水の少ない地域に適したものではない。
【０００３】
そこで、例えば特開平１１−３５０４１１号に開示されているように、地熱を採熱することにより融雪を行う融雪装置（以下、従来例）が提案されている。
【０００４】
この従来例は、図６に図示したように地面に形成した掘削穴31に長尺の伝熱体32（ヒートパイプ）の採熱部32Ａを配設し、この採熱部32Ａで採取した熱を放熱する放熱部32Ｂを地表に設けられる融雪部33（舗装材）に配設したものである。尚、掘削穴31には地中からの地熱を採熱部32Ａに良好に伝達すべく伝熱部材34としてのコンクリートや珪砂が充填される。
【０００５】
従って、従来例であれば、地下水を消費することがなく、地下水の枯渇による地盤沈下が懸念される地域や地下水が少ない地域にも適用することができる。
【０００６】
【特許文献１】特開平１１−３５０４１１号公報
【発明の開示】
【発明が解決しようとする課題】
【０００７】
ところが、従来例は、その構造上、例えば融雪部33の下方に埋設されるガス管や水道管などの埋設物20を補修する際などに問題点が生じている。
【０００８】
具体的には、例えば図６，７に図示したような融雪部33の下方に埋設される埋設管20の補修（漏洩孔20ａの閉塞作業）を行う場合、融雪部33を構成する舗装材を壊して除去する作業が必須となり、舗装材を壊した際、当然ヒートパイプ32の採熱部32Ａも損壊する為、掘削穴31内に充填される伝熱部材34を除去してヒートパイプ32の最熱部32Ａを撤去する作業もしなければならず、よって、工事全体が大掛かりなものとなってしまい、しかも、従来例を再形成する際には、融雪部33を構成する舗装材を打設し直し、新しいヒートパイプ32も用意しなければならないなど経済的でないという問題点がある。
【０００９】
本発明は、上記のような問題点を解決したもので、従来にない作用効果を発揮する画期的な融雪装置を提供するものである。
【課題を解決するための手段】
【００１０】
添付図面を参照して本発明の要旨を説明する。
【００１１】
採熱した地熱により融雪を行う融雪装置であって、地中に埋設され内部に地下水Ｗを収容するケーシング１を有し、このケーシング１の上部開口部１ａから該ケーシング１内に抜き出し自在に配され前記地下水Ｗから熱を採取する採熱部２Ａと、地表に設けられる融雪部３に配され採熱部２Ａで採取した熱を放熱する放熱部２Ｂとを具備する長尺の伝熱体２が設けられ、前記融雪部３は地表に移動自在に敷設されるパネル体４であり、このパネル体４には前記放熱部２Ｂを固定する固定部４ａが設けられ、この固定部４ａは前記放熱部２Ｂが取り外し自在となる構成であることを特徴とする融雪装置に係るものである。
【００１２】
また、請求項１記載の融雪装置において、前記固定部４ａは前記パネル体４の上面に形成され前記放熱部２Ｂを嵌合する凹溝であることを特徴とする融雪装置に係るものである。
【００１３】
また、請求項１，２いずれか１項に記載の融雪装置において、前記パネル体４には前記ケーシング１の上部開口部１ａと前記固定部４ａを連通する連通部４ｂが設けられていることを特徴とする融雪装置に係るものである。
【００１４】
また、請求項１〜３いずれか１項に記載の融雪装置において、前記パネル体４の上部には排水性舗装体５が設けられることを特徴とする融雪装置に係るものである。
【発明の効果】
【００１５】
本発明は上述のように構成したから、前述した従来例と異なり、例えば融雪部の下方に埋設される埋設物の補修を簡易且つ迅速に行えることになり、しかも、前記補修の度に融雪部及び伝熱体を交換する必要がなく極めて経済的であるなど従来にない作用効果を発揮する画期的な融雪装置となる。
【発明を実施するための最良の形態】
【００１６】
好適と考える本発明の実施形態を、図面に基づいて本発明の作用を示して簡単に説明する。
【００１７】
地中に埋設されるケーシング１内の地下水Ｗを介して伝熱体２の採熱部２Ａで地熱を採熱し、この採熱部２Ａで採取した熱を地表に設けられる融雪部３に配設した放熱部２Ｂで放熱することで融雪部３上の積雪を融雪する。
【００１８】
ところで、本発明は、地中に埋設され内部に地下水Ｗを収容するケーシング１を有し、このケーシング１の上部開口部１ａから該ケーシング１内に抜き出し自在に配され前記地下水Ｗから熱を採取する採熱部２Ａと、地表に設けられる融雪部３に配され採熱部２Ａで採取した熱を放熱する放熱部２Ｂとを具備する長尺の伝熱体２が設けられ、前記融雪部３は地表に移動自在に敷設されるパネル体４であり、このパネル体４には前記放熱部２Ｂを固定する固定部４ａが設けられ、この固定部４ａは前記放熱部２Ｂが取り外し自在となる構成であるから、例えば融雪部３の下方に埋設される埋設物20の補修を行う場合に秀れた作用効果を発揮する。
【００１９】
即ち、例えば補修を必要とする埋設物20の上方に位置するパネル体４のみを移動させて（取り外して）補修を行うことができ、また、必要に応じて、伝熱体２をケーシング１から抜き出したり、パネル体４から取り外したりして、補修を簡易且つ確実に行うことができる。
【００２０】
また、再び融雪装置を形成する際には、元の位置にパネル体４を敷設すれば良く、また、ケーシング１及びパネル体４から外した伝熱体２もそのままセットすれば良い。
【００２１】
従って、前述した従来例と異なり、融雪部３の下方に埋設される埋設物の補修を簡易且つ迅速に行えることになり、しかも、前記補修の度に融雪部及び伝熱体を交換する必要がなく極めて経済的である。
【実施例】
【００２２】
本発明の具体的な実施例について図面に基づいて説明する。
【００２３】
本実施例は、採熱した地熱により融雪を行う融雪装置であって、地中に埋設され内部に地下水Ｗを収容するケーシング１を有し、このケーシング１の上部開口部１ａから該ケーシング１内に抜き出し自在に配され前記地下水Ｗから熱を採取する採熱部２Ａと、地表に設けられる融雪部３に配され採熱部２Ａで採取した熱を放熱する放熱部２Ｂとを具備する長尺の伝熱体２が設けられ、前記融雪部３は地表に移動自在に敷設されるパネル体４であり、このパネル体４には前記放熱部２Ｂを固定する固定部４ａが設けられ、この固定部４ａは前記放熱部２Ｂが取り外し自在となる構成のものである。
【００２４】
以下、本実施例に係る構成各部について詳細な説明をする。
【００２５】
伝熱体２は、図１，２に図示したように既存のヒートパイプであり、地下水Ｗから熱を採取する採熱部２Ａと、地表に設けられる融雪部３に配され採熱部２Ａで採取した熱を放熱する放熱部２Ｂとを有する。
【００２６】
ケーシング１は、図１，２に図示したように適宜な金属製の部材を形成した有底筒状体であり、地下水層まで届く長さに設定されている。
【００２７】
また、ケーシング１の下部周面所定位置には、複数の貫通孔１ｂが形成されており、この貫通孔１ｂはケーシング１内に地下水を導入する地下水導入孔である。
【００２８】
尚、ケーシング１は地下水が染入される部材で形成しても良い。
【００２９】
融雪部３は、パネル体４と、このパネル体４の上部に配される排水性舗装体５とで構成されている。
【００３０】
パネル体４は、図１，２に図示したようにコンクリートを型成形したものであり、平面視長方形状に形成されている。
【００３１】
また、パネル体４の上面には、該パネル体４の長さ方向に３本の凹溝４ａが形成されており、この凹溝４ａは放熱部を嵌合固定する固定部４ａである。
【００３２】
また、パネル体４の一端部には、パネル体４の上下面に貫通する貫通部４ｂ（切欠部）が設けられており、この貫通部４ｂはケーシング１の上部開口部１ａより大きな開口度合に設定されている。
【００３３】
この貫通部４ｂには、前述した固定部４ａの一端が開口しており、この貫通部４ｂはケーシング１の上部開口部１ａと固定部４ａを連通する連通部４ｂとして構成されている。
【００３４】
排水性舗装体５は、図１，２に図示したように適宜な排水性及び伝熱性を有する舗装材をパネル状に型成形したものであり、平面視長方形状に形成されている。
【００３５】
この排水性舗装体５は、伝熱体２の放熱部２Ｂからの放熱を上面の積雪に伝えるとともに、この放熱により融けた水を排水する機能を発揮する。
【００３６】
以上の構成から成る融雪装置Ｙは融雪する部位の面積に応じて複数並設されるものであり、この各融雪装置Ｙの施工方法について説明する。
【００３７】
まず、融雪する部位に所定間隔を介して掘削穴を形成し、この各掘削穴にケーシング１を配設する。
【００３８】
続いて、各ケーシング１が設けられる位置にパネル体４を敷設する。この際、パネル体の連通部４ｂがケーシング１の上部開口部１ａの上方に位置するように敷設する。
【００３９】
続いて、各ケーシング１内に伝熱体２の採熱部２Ａを配するとともに、該伝熱体２の放熱部２Ｂをパネル体４の固定部４ａに嵌合する。
【００４０】
続いて、各パネル体４の上面に排水性舗装体５を敷設して完成する。この際、隣接する排水性舗装体５同士は目地材を介して連設される。
【００４１】
次に、融雪装置Ｙに係る融雪部３の下方に埋設される埋設管20の補修（漏洩孔20ａの閉塞作業）を行う場合について説明する。
【００４２】
先ず、埋設管20の補修する漏洩孔20の上方に位置する排水性舗装体５を外す。
【００４３】
続いて、図４に図示したように伝熱体２を上方へ引き抜く。
【００４４】
続いて、図５に図示したようにパネル体４を取り外す。
【００４５】
続いて、常法に従い、埋設管20に形成された漏洩孔20ａを閉塞する補修作業を行う。
【００４６】
その後、前述した撤去作業の逆の手順にて復元する。
【００４７】
本実施例は上述のように構成したから、前述した従来例と異なり、融雪部３の下方に埋設される埋設管20の補修を簡易且つ迅速に行えることになり、しかも、前記補修の度に融雪部３及び伝熱体２を交換する必要がなく極めて経済的である。
【００４８】
また、本実施例は、固定部４ａはパネル体４の上面に伝熱体２の放熱部２Ｂを嵌合する凹溝を設けて構成されているから、所定面積の部位を融雪するに良好な配置が簡易且つ確実に得られることになる。
【００４９】
また、本実施例は、パネル体４にはケーシング１の上部開口部１ａと固定部４ａを連通する連通部４ｂが設けられているから、ケーシング１に採熱部２Ａを配した伝熱体２のパネル体４に対する配設、並びに、パネル体４に放熱部２Ｂを配した伝熱体２のケーシング１に対する採熱部２Ａの配設が良好に行えることになる。
【００５０】
また、本実施例は、パネル体４の上部に排水性舗装体５が設けられるから、パネル体４の保護が達成され、しかも、この排水性舗装体５上で融けた水が良好に排水されることになる。
【００５１】
尚、本発明は、本実施例に限られるものではなく、各構成要件の具体的構成は適宜設計し得るものである。
【図面の簡単な説明】
【００５２】
【図１】本実施例の使用状態説明図である。
【図２】本実施例を説明する断面図である。
【図３】本実施例に係る融雪部の下方に埋設される埋設管の補修を行う場合の説明図である。
【図４】本実施例に係る融雪部の下方に埋設される埋設管の補修を行う場合の説明図である。
【図５】本実施例に係る融雪部の下方に埋設される埋設管の補修を行う場合の説明図である。
【図６】従来例を説明する断面図である。
【図７】従来例の使用状態説明図である。
【符号の説明】
【００５３】
１  ケーシング
１ａ  上部開口部
２  伝熱体
２Ａ  採熱部
２Ｂ  放熱部
３  融雪部
４  パネル体
４ａ  固定部
４ｂ  連通部
５  排水性舗装体
【図１】
2008088652.tif 000003
【図２】
2008088652.tif 000004
【図３】
2008088652.tif 000005
【図４】
2008088652.tif 000006
【図５】
2008088652.tif 000007
【図６】
2008088652.tif 000008
【図７】
2008088652.tif 000009